(57)【特許請求の範囲】
【請求項１】
視標表示板、非接触眼圧計、細隙灯顕微鏡および眼底カメラのうちの少なくとも二以上の検査機器を備え、各検査機器による複合的な検査が行えるようにした眼科複合健診検査装置であって、更に、健診を受ける受診者が顎を載せて眼の健診を受けるための検査台と、該検査台に対して移動手段を介して前記検査機器を選択的に位置させるオペレーション部を備えており、前記検査台の正面に前記視標表示板が設けられ、該視標表示板の左右側に、他の検査機器が配置されている、眼科複合健診検査装置。
【請求項２】
移動手段が、検査機器を搭載する昇降自在な検査機器搭載移動体と、該検査機器搭載移動体を懸架する前後誘導用ガイドバーおよび左右誘導用ガイドバーと、前後誘導用ガイドバーの両端に取り付けられた前後ピニオンと、左右誘導用ガイドバーの両端に取り付けられた左右ピニオンと、左右ピニオンが噛合する前後方向に伸びる左右ラックと、前記前後ピニオンが噛合する左右方向に伸びる前後ラックと、前記前後誘導用ガイドバーおよび前記左右誘導用ガイドバーを回転させる駆動モータを備え、該駆動モータの作動によって、前記検査機器搭載移動体が各検査機器の位置まで移動して該検査機器を搭載して所定の検査位置まで移動するようになされている、請求項１記載の眼科複合健診検査装置。
【請求項３】
検査機器搭載移動体の上部にセットピンが突設され、検査機器の底部に前記セットピンが嵌入するセット凹部が設けられ、検査機器搭載移動体が検査機器を搭載する際に、昇降手段を介して前記セットピンと前記セット凹部が嵌め合わされるようになされている、請求項２記載の眼科複合健診検査装置。
【請求項４】
更に、視標表示板による視力および色覚検査、並びに非接触眼圧計、細隙灯顕微鏡および眼底カメラのうちの二以上の検査機器による各検査に基づく異常の有無を診断する検査診断部と、該検査診断部による検査結果を表示する検査結果表示部と、前記検査機器による検査データや前記検査診断部による検査結果並びに前記各検査機器の動作に関するプログラミングを記憶する検査記憶部を有する、請求項１〜請求項３のうちのいずれか一項記載の眼科複合健診検査装置。
【請求項５】
更に、検査結果表示部に表示された検査結果をプリントアウトする出力部を有する、請求項４記載の眼科複合健診検査装置。
【請求項６】
請求項４又は請求項５記載の眼科複合健診検査装置を用いた遠隔の眼科複合健診検査システムであって、前記オペレーション部や前記検査記憶部が、眼科医が所在する眼科医ステーションに設けられ、前記各検査機器およびこれらの移動手段が健診を受ける受診者ステーションに設けられ、通信機能部、マイク部およびスピーカー部を介して遠隔で前記各検査機器による健診検査が行われるようになされている、眼科複合健診検査システム。
【発明の詳細な説明】
【技術分野】
【０００１】
本発明は、眼の健診を複合的に行うことができる眼科複合健診検査装置に関する。
【背景技術】
【０００２】
被検眼の前眼部の断面形状を検知することにより被検眼の眼科疾患を検査するための眼科用検査装置であって、被検眼の前眼部に向け、瞳孔領から虹彩の周辺部にわたりスリット光を走査させるように移動させながら投射するスリット光投射光学系と、該スリット光の反射光によって得られる前眼部の断面画像を撮影する撮影光学系とを備えた測定部と、該測定部をＸ−Ｙ方向およびＺ方向に移動制御する駆動装置を備えた架台部と、前記測定部の上方に配置された操作パネルと、前記撮影光学系によって撮影された断面画像を画像解析して、被検眼の前眼部の形状を解析するデータ解析部とを備えている眼科用検査装置が知られている。
【０００３】
また、被検眼の前眼部の断面形状を検知することにより被検眼の眼科疾患を検査するための眼科用検査装置であって、被検眼の前眼部に向け、瞳孔領から虹彩の周辺部に向かいスリット光を走査させるように移動させながら投射するスリット光投射光学系と、該スリット光投射光学系によって投射された投射光によって得られる前眼部の断面画像を撮影する撮影光学系と、該撮影光学系によって撮影された断面画像を画像解析して、被検眼の前眼部の形状を解析するコンピュータ部とを備えている眼科用検査装置も知られている。
【先行技術文献】
【特許文献】
【０００４】
【特許文献１】特開２００４−３２９８７２号公報
【特許文献２】特開２００６−８７６１４号公報
【発明の概要】
【発明が解決しようとする課題】
【０００５】
前述したような従来の眼科用検査装置によれば、被検眼の前眼部の断面形状を定量的な測定データとして検知し、その測定データに基づいて検診レベルで眼科疾患の検査が行われるが、前記検査装置では、眼の総合的な健診を行うことができないという不都合があった。
【０００６】
本発明の目的は、眼の総合的な健診を容易に行うことができる眼科複合健診検査装置を提供することにある。
【課題を解決するための手段】
【０００７】
請求項１記載の本発明は、視標表示板、非接触眼圧計、細隙灯顕微鏡および眼底カメラのうちの少なくとも二以上の検査機器を備え、各検査機器による複合的な検査が行えるようにした眼科複合健診検査装置であって、更に、健診を受ける受診者が顎を載せて眼の健診を受けるための検査台と、該検査台に対して移動手段を介して前記検査機器を選択的に位置させるオペレーション部を備えており、前記検査台の正面に前記視標表示板が設けられ、該視標表示板の左右側に、他の検査機器が配置されている眼科複合健診検査装置である。
【０００８】
請求項２記載の本発明は、前記請求項１記載の眼科複合健診検査装置について、移動手段が、検査機器を搭載する昇降自在な検査機器搭載移動体と、該検査機器搭載移動体を懸架する前後誘導用ガイドバーおよび左右誘導用ガイドバーと、前後誘導用ガイドバーの両端に取り付けられた前後ピニオンと、左右誘導用ガイドバーの両端に取り付けられた左右ピニオンと、左右ピニオンが噛合する前後方向に伸びる左右ラックと、前記前後ピニオンが噛合する左右方向に伸びる前後ラックと、前記前後誘導用ガイドバーおよび前記左右誘導用ガイドバーを回転させる駆動モータを備え、該駆動モータの作動によって、前記検査機器搭載移動体が各検査機器の位置まで移動して該検査機器を搭載して所定の検査位置まで移動するようになされていることを技術的特徴とするものである。
【０００９】
請求項３記載の本発明は、前記請求項２記載の眼科複合健診検査装置について、検査機器搭載移動体の上部にセットピンが突設され、検査機器の底部に前記セットピンが嵌入するセット凹部が設けられ、検査機器搭載移動体が検査機器を搭載する際に、昇降手段を介して前記セットピンと前記セット凹部が嵌め合わされるようになされていることを特徴とする。
【００１０】
請求項４記載の本発明は、前記請求項１〜請求項３のうちのいずれか一項記載の眼科複合健診検査装置について、更に、視標表示板による視力および色覚検査、並びに非接触眼圧計、細隙灯顕微鏡および眼底カメラのうちの二以上の検査機器による各検査に基づく異常の有無を診断する検査診断部と、該検査診断部による検査結果を表示する検査結果表示部と、前記検査機器による検査データや前記検査診断部による検査結果並びに前記各検査機器の動作に関するプログラミングを記憶する検査記憶部を有することを特徴とする。
【００１１】
請求項５記載の本発明は、前記請求項４記載の眼科複合健診検査装置について、更に、検査結果表示部に表示された検査結果をプリントアウトする出力部を有するものである。  
【００１２】
請求項６記載の本発明は、前記請求項４又は請求項５記載の眼科複合健診検査装置を用いた遠隔の眼科複合健診検査システムであって、前記オペレーション部、並びに前記検査機器による検査データや前記検査診断部による検査結果を記憶する検査記憶部が、眼科医が所在する眼科医ステーションに設けられ、前記各検査機器およびこれらの移動手段が健診を受ける受診者ステーションに設けられ、通信機能部、マイク部およびスピーカー部を介して遠隔で前記各検査機器による健診検査が行われるようになされている眼科複合健診検査システムである。
【発明の効果】
【００１３】
本発明に係る眼科複合健診検査装置は、視標表示板、非接触眼圧計、細隙灯顕微鏡および眼底カメラ等による複合的な健診検査によって、簡単且つ確実に眼の健康診断が行えるという実用的利点を有する。
【図面の簡単な説明】
【００１４】
【図１】本発明の実施形態に係る眼科複合健診検査装置の全体構成を示す機能ブロック図である。
【図２】同実施形態に係る眼科複合健診検査装置における各検査機器と移動手段の構成を示す平面図である。
【図３】同実施形態に係る眼科複合健診検査装置における各検査機器と移動手段の構成を示す正面図である。
【図４】同実施形態に係る眼科複合健診検査装置における移動手段としてのピニオンとラックの係合を示す部分拡大側面図である。
【図５】同実施形態に係る眼科複合健診検査装置におけるプラットフォーム台部分の平面図である。
【図６】同実施形態に係る眼科複合健診検査装置におけるオペレーション部およびモジュールボックスの一例を示す正面図である。
【発明を実施するための形態】
【００１５】
次に、本発明の実施形態を図面にしたがって説明するが、本発明はかかる実施形態に限定されるものではない。
【００１６】
図１〜図４に示すように、本発明の眼科複合健診検査装置１は、視力を調べる視標表示板２と、眼圧を測定する非接触眼圧計３と、外眼部の疾患等を調べる細隙灯顕微鏡４と、眼底を検査する眼底カメラ５のうちの少なくとも二以上を一体に有するものである。
【００１７】
本実施形態では、前述した視標表示板２、非接触眼圧計３、細隙灯顕微鏡４および眼底カメラ５を全て具備する眼科複合健診検査装置１について以下に説明する。
【００１８】
眼科複合健診検査装置１は、前述した各検査機器２〜５の他、これら検査機器２〜５の切換および操作を行うオペレーション部６と、各検査機器２〜５による検査データや検査結果、更には各検査機器２〜５の動作等に関するプログラミング等を記憶しておく検査記憶部７と、前記オペレーション部６を介して各検査機器２〜５の操作を行ったり、検査情報の送受信を行うための通信機能部８と、種々の演算処理を行うプロセッサ部９と、検査結果を表示する検査結果表示部１１と、必要に応じて、前記検査機器２〜５による検査結果に基づいて異常の有無を診断する検査診断部１２と、前記検査結果をプリントアウトする検査結果出力部１３と、医師と受診者がやり取りするためのマイク部１４およびスピーカー部１５と、前記各検査機器２〜５による検査状況を映すライブカメラ１６等を有する。
【００１９】
次に、本実施形態に係る眼科複合健診検査装置１における各検査機器３〜５の移動手段の具体的な構成について説明すると、本実施形態では、前後方向に伸びる前後誘導用ガイドバー２１と、前後誘導用ガイドバー２１の上側に配置され、左右方向に伸びる左右誘導用ガイドバー２２と、左右誘導用ガイドバー２２と前後誘導用ガイドバー２１の交差部分に設けられ、これらガイドバー２１・２２が挿通されて、各ガイドバー２１・２２に沿って前後左右に移動し得る検査機器搭載移動体２３と、前記前後誘導用ガイドバー２１の両端に取り付けられた前後ピニオン２４と、前記左右誘導用ガイドバー２２の両端に取り付けられた左右ピニオン２５と、各左右ピニオン２５と噛合する左右ラック２６と、各前後ピニオン２４と噛合する前後ラック２７を有する。
【００２０】
そして、本実施形態では、前記前後誘導用ガイドバー２１の前側に受診者が顎を載せる検査台２８と検査対象となる受診者の左右の眼の切換を行う切換シャッター機構部２０が設けられ、前記前後誘導用ガイドバー２１の後側に前記視標表示板２が設けられ、前記前後誘導用ガイドバー２１の後部左側に非接触眼圧計３が配置され、前記前後誘導用ガイドバー２１の後部右側に細隙灯顕微鏡４が配置され、前記前後誘導用ガイドバー２１の前部右側に眼底カメラ５が配置されている。また、前記前後誘導用ガイドバー２１の前部左側には他の眼科検査装置１０が配置される場合もある。更に、前記検査台２８に隣接して、受診者が検査を行う医師とやり取りするための受信者応答用の前記マイク部１４およびスピーカー部１５、並びにジョイステック５２等が設けられている。
【００２１】
前記検査機器搭載移動体２３は、全体が略立方体であって、昇降用のシリンダやアクチュエータ等の上下動機Ｃが内蔵されたベース部２３ａと、ベース２３ａの四隅に立設されたポールＰに支持されて、前記上下動機Ｃによって、前記ベース２３ａ上に上下動自在に設けられた昇降台２３ｂと、前記前後誘導用ガイドバー２１および左右誘導用ガイドバー２２を回転させる減速機付きの駆動モータ２９Ａ・２９Ｂと、昇降台２３ｂの上面四隅に立設されたセットピン４５等を有する。なお、前記駆動モータ２９Ａ・２９Ｂは、本実施形態では、前後誘導用ガイドバー２１の後端並びに左右誘導用ガイドバー２２の左端に取り付けられ、それぞれレールＲに沿って各ガイドバー２１・２２と共に移動するようになされている。また、前記駆動モータ２９Ａ・２９Ｂ並びに前記上下動機Ｃは、前記通信機能部８を介して後述するオペレーション部６での医師による操作によって稼働するようになされている。また、この他、前記駆動モータ２９Ａ・２９Ｂによる検査機器搭載移動体２３の前後左右移動や前記上下動機Ｃによる昇降は、前記検査記憶部７に予め記憶されているプログラミングによって、自動的に行われる場合もある。
【００２２】
図４に示すように、より詳細には、前記検査機器搭載移動体２３は、前後・左右のピニオン２４・２５が前後・左右のラック２６・２７に噛合しつつ、該ラック２６・２７上を回動移動することで、前後・左右方向に移動するものである。そして、その制御は、前記駆動モータ２９Ａ・２９Ｂ並びに昇降用のシリンダやアクチュエータ等の上下動機Ｃの制御によって、前記オペレーション部６での手動操作または前記プログラミングによって実行される。
【００２３】
図２、図３および図５に示すように、前述した非接触眼圧計３および細隙灯顕微鏡４は、それぞれプラットフォーム台３１上に載置され、プラットフォーム台３１には前記検査機器搭載移動体２３の昇降台２３ｂに立設されたセットピン４５が進入する前後一対の開口部３２が形成されており、非接触眼圧計３および細隙灯顕微鏡４の下部には前記検査機器搭載移動体２３の昇降台２３ｂ上のセットピン４５が挿入されるセット凹部４６が設けられている。また、以上述べた非接触眼圧計３および細隙灯顕微鏡４の搭載構造は、前記眼底カメラ５についても同様である。
【００２４】
図６に示すように、前記オペレーション部６は、前述した眼科複合健診検査装置１における移動手段や各検査機器等の稼働に係る機能を果たすものであり、例えば、前記切換シャッター機構部２０による受診者の左右の眼の検査切換えを行う左右ボタン３０や、前記各検査機器２〜５の選択操作ボタン３４〜３７や摘みスイッチ３８、ジョイスティック３９等の操作部と操作の実行に係るハード（回路）を備え、また、医師が受診者とやり取りするための前記マイク部１４およびスピーカー部１５並びに前記ライブカメラ１６による検査状態が表示されるモニター４０等を有する。また、該モニター４０は、前記各検査機器２〜５による各検査状況も表示するものである。更に、本実施形態では、後述する通り、眼科複合健診検査装置１における各機能を実行するモジュールが組み込まれたボックスＢがオペレーション部６に併設されている。そして、前記ボックスＢは後述する各機能を果たすモジュール化されたものである。
【００２５】
前記検査記憶部７は、通常、ＨＤＤ等の記録媒体と記録するソフトウエアによって実現される。また、検査記憶部７には、前記各検査機器２〜５について、所定のプログラミングが記憶される場合もある。この場合、前記オペレーション部６の選択操作ボタン３４〜３７を押すことで、所定のプログラミングに基づいて各検査機器２〜５が、前述した移動手段を介して所定の検査位置にセットされて検査が実行されることとなる。この場合、前記視標表示板２による視力・色覚検査についても表示する指標の順序が受診者の回答に合わせて適宜切り換えられるようにプログラミングされる。
【００２６】
通信機能部８は、主として前記オペレーション部６と各検査機器２〜５その他との情報の送受信を無線または有線で行うものであり、通常、通信モジュールやモデム・ドライバ等によって実現される。また、該通信機能部８は、前述した駆動モータ２９Ａ・２９Ｂおよび上下動機Ｃとの間での動作信号の送受信をも実行するものである。そして、これらの移動手段側にも前記通信機能部８との通信を行うコントロール部（図示せず）が付設される。
【００２７】
プロセッサ部９は、必要に応じて当該眼科複合健診検査装置１における検査に係る演算処理を行う機能を有するものであり、通常、ソフトウエアによって実現される。
【００２８】
検査結果表示部１１は、当該眼科複合健診検査装置１による検査の状況や結果を表示するものであり、ディスプレイによって実現される。該検査結果表示部１１は、例えば図２の検査側において設置されるものである。
【００２９】
検査診断部１２は、当該眼科複合健診検査装置１による検査の結果に対して所定の正常範囲内にあるか、異常個所がないかといった判定を行うものであり、通常、ソフトウエアで実現される。なお、検査を行う医師が自ら診断を行う場合には、検査診断部１２は省略される。
【００３０】
前記検査結果出力部１３は、前述した通り、当該眼科複合健診検査装置１による検査の結果をプリントアウトするものであり、紙媒体の印刷機によって実現される。該検査結果表示部１１は、例えば図２の検査側において設置されるものである。
【００３１】
次に、前述した本実施形態に係る眼科複合健診検査装置１の使用要領について説明すると、検査台２８に受診者が顔を載せた後、医師が、その左右の眼の検査切換を前記オペレーション部６の左右ボタン３０を押して選択することで、切換シャッター機構部２０が作動して左右の検眼が切り換えられ、そして先ず、前記オペレーション部６の選択操作ボタン３４を押して視標表示板２を点灯させて摘みスイッチ３８で視標表示板２に種々の視標を表示して視力検査を行う。その後、選択操作ボタン３５〜３７で使用する検査機器３〜５を選択することで、該選択に基づいて、前記駆動モータ２９Ａ・２９Ｂおよび上下動機Ｃが作動して前後誘導用ガイドバー２１や左右誘導用ガイドバー２２が回動すると共に、これらガイドバー２１・２２の各両端の前後ピニオン２４および左右ピニオン２５が前後ラック２７や左右ラック２６上を回動しながら移動する。そして、このような移動手段の作動によって、前記検査機器搭載移動体２３が前記選択された検査機器３〜５のプラットフォーム台３１まで移動した後、該プラットフォーム台３１の開口部３２内に、前記検査機器搭載移動体２３のセットピン４５が進入し、次に前記昇降台２３ｂが上昇して前記セットピン４５が検査機器３〜５のセット凹部４６内に嵌入することで、昇降台２３ｂ上に選択された検査機器３〜５が搭載され、その後、前記検査機器搭載移動体２３は予め設定された前記検査台２８の正面位置まで戻って、選択された検査機器３〜５による眼の健診検査が行われる。そして、該検査が終了した際には、検査機器搭載移動体２３が再び移動してきた経路を戻って、プラットフォーム台３１上に検査機器３〜５を復帰させる。その後、選択操作ボタン３５〜３７で使用する新たな検査機器３〜５が選択された場合には、前述した検査機器搭載移動体２３による新たな搭載移動が行われて、次の検査が順次実施される。また、以上述べた眼科複合健診検査は、前記検査記憶部７等におけるプログラミングに基づいて適宜自動化こともできる。
【００３２】
なお、前述した検査機器搭載移動体２３の移動や調整は、前記摘みスイッチ３８やジョイスティック３９の操作によって行われるが、前述した通り、予め検査記憶部７におけるプログラミングで自動操作される場合もある。
更に、以上述べた各検査機器２〜５による検査結果は、検査を行った医師自身が判断しても良いし、前記検査診断部１２における基準データに基づいて自動的に行われる場合もある。そして、その検査結果は、前記検査結果表示部１１に表示され、必要に応じて前記検査記憶部７に随時カルテ記録される。また、前記検査結果表示部１１で表示された検査結果は必要に応じて、前記検査結果出力部１３でプリントアウトされ、受診者に提供され得る。
【００３３】
以上述べた眼科複合健診検査装置１による健診検査は、図２〜図５に示した検査機器搭載移動体２３並びに各検査機器２〜５およびこれらの移動手段を備えた検査実行部と図６に示したオペレーション部６並びにモジュール化ボックスＢとを病院内で近接して設けても良いし、オペレーション部６並びにモジュール化ボックスＢを病院内で医師が遠隔で操作して遠く離れた集会所や介護施設内に前記検査実行部を設置して健診検査を行うようにしても良い
【産業上の利用可能性】
【００３４】
本発明の眼科複合健診検査装置は、前述した通り、非接触眼圧計や細隙灯顕微鏡、更には眼底カメラ等によって、簡単且つ総合的な眼科健診検査が遠隔でも実現され得るため、眼科医療分野において広範な地域で幅広い利用が期待できる。
【符号の説明】
【００３５】
１  眼科複合健診検査装置
２  視標表示板
３  非接触眼圧計
４  細隙灯顕微鏡
５  眼底カメラ
６  オペレーション部
２３  検査機器搭載移動体２３
【要約】
【課題】  眼の総合的な健診検査を容易に行うことができるようにする。
【解決手段】  視力を調べる視力検査表２と、眼圧を測定する非接触眼圧計３と、外眼部の疾患等を調べる細隙灯顕微鏡４と、眼底を検査する眼底カメラ５のうちの少なくとも二以上を一体に有し、前後誘導用ガイドバー２１と左右誘導用ガイドバー２２に沿って移動する検査機器搭載移動体２３上に、選択した前記検査機器３〜５を搭載して検査位置まで移動するようになされている。また、操作は手動や遠隔で行う場合もある。
【選択図】  図２【図１】
0006934218.tif 000002
【図２】
0006934218.tif 000003
【図３】
0006934218.tif 000004
【図４】
0006934218.tif 000005
【図５】
0006934218.tif 000006
【図６】
0006934218.tif 000007